(57)【要約】【課題】  エレベータの据付工事段階などのように液晶モニタなどで、乗りかごの位置を表示することができないときでも、接続先固定方式で、操作盤とかご制御装置との間の結線を行わせ、誤配線の発生率を大幅に低減する。【解決手段】  行先釦登録モードが指定されたとき、最初に操作された釦位置４ｅにある行先釦５を最下階を示す行先釦であると判断して、この釦位置４ｅに対応するメモリアドレスのデータ欄に“１”を書き込むとともに、操作された行先釦５を点灯して、登録済みであることを表示し、次に操作された釦位置４ｆにある行先釦６を２階を示す行先釦であると判断して、この釦位置４ｆに対応するメモリアドレスのデータ欄に“２”を書き込むとともに、操作された行先釦６を点灯して、登録済みであることを表示する。【選択図】      図１
2005112541.tif 000002
【特許請求の範囲】
【請求項１】
操作盤に設けられた各行先釦に各階床を割り当てる行先釦登録システムにおいて、
前記操作盤に設けられた前記各行先釦と前記各階床との関係が書き換え自在に登録される設定テーブルと、
行先釦登録モードが指定されているとき、前記各行先釦の操作順に、これら各行先釦に予め指定された階床を割り当てて、前記設定テーブルに前記各行先釦と前記各階床との関係を登録するとともに、登録済みの前記行先釦を点灯制御する制御手段と、
を備えたことを特徴とする行先釦登録システム。
【請求項２】
請求項１に記載の行先釦登録システムにおいて、
前記制御手段は、行先釦登録モードが指定された状態で、前記行先釦が操作されたとき、この行先釦が階床割り当て済みの行先釦かどうかをチェックし、
階床割り当て済みの行先釦でなければ、前記各行先釦の操作順に、これら各行先釦に予め指定された階床を割り当てて、前記設定テーブルに前記各行先釦と前記各階床との関係を登録するとともに、登録済みの前記行先釦を点灯制御し、
階床割り当て済みの行先釦であれば、前記設定テーブルに登録されている、前記行先釦の階床割り当てを解除するとともに、解除済みの前記行先釦を消灯制御する、
ことを特徴とする行先釦登録システム。
【発明の詳細な説明】
【技術分野】
【０００１】
本発明は、乗りかごの操作盤に設けられた各行先釦の配置内容、ビルなどの停止階床数に関係なく、操作盤とかご制御装置とを繋ぐケーブルの接続を行い得るようにした行先釦登録システムに関する。
【背景技術】
【０００２】
ビルなどで使用されるエレベータの行先釦登録システムでは、建物の階床数が所定階床数、例えば８階床以下であるとき、図１１に示すように、最大、８階床分の行先釦を登録することができる共通化された操作盤１０１を使用することでシステム全体のコストダウンを図っている。
【０００３】
このシステムで階床数が“２”であるときには、操作盤１０１に設けられた各釦位置１０２ａ〜１０２ｈのうち、上にある２つの各釦位置１０２ｇ、１０２ｈに各行先釦１０３、１０４を配置し、残りの釦位置１０２ａ〜１０２ｆに蓋をするなどの処置を行い、また階床数が“３”であるとき、図１２に示すように、最も上にある釦位置１０２ｈを除いた各釦位置１０２ｅ、１０２ｆ、１０２ｇに各行先釦１０３、１０４、１０５を配置し、残りの釦位置１０２ａ〜１０２ｄ、１０２ｈに蓋をするなどの処置を行うことで対応している。
【０００４】
ところで、このような従来の行先釦登録システムでは、ビルの階床数が変わると、操作盤１０１上に配置される各行先釦１０３〜１０５の配置が変わってしまうことから、ビルの階床数に応じて、操作盤１０１に設けられた各ピン番号と、操作盤１０１の操作内容処理、点灯処理などを行うかご制御装置に設けられた各ピン番号とを確認しながら、複数のリード線などで、これらを接続しなければならず、その分だけ作業が繁雑になるとともに、誤配線の発生率が高くなってしまうという問題があった。
【０００５】
そこで、このような問題を解決する方法として、特開平２−６２３８６号公報に記載のものでは、各行先釦と、各階床とを設定するモードを設け、インジケータに表示された乗りかごの位置に対応する行先釦を操作することにより、各行先釦の接続先を固定することができるようにしている。
【特許文献１】特開平２−６２３８６号公報
【発明の開示】
【発明が解決しようとする課題】
【０００６】
しかしながら、上述したような従来の行先釦登録方法では、インジケータ上に設定を行いたい階床を表示した後に、該当する行先釦を操作しなければならないため、乗りかご内に複数の操作盤が設置されているときには、１階床毎に乗りかご内に設置された全ての操作盤を操作したり、１つの操作盤に設けられた全行先釦の設定を終了してから、残りの操作盤について、同じ作業を行わなければならず、作業が繁雑になってしまうという問題がある。
【０００７】
また、近年、乗りかご内に液晶モニタなどを設置し、様々な情報とともに、乗りかごの位置などを表示するようにしたものが開発されている。
【０００８】
しかしながら、エレベータの据付工事を行う段階では、このような液晶モニタなどの装置を設置していないことが多い。
【０００９】
このため、エレベータの据付工事段階では、このような液晶モニタをインジケータとして使用して、上述した特開平２−６２３８６号公報などに記載された行先釦登録方法により各行先釦と各階床との関係を登録することができないという問題がある。
【００１０】
本発明は上記の事情に鑑み、エレベータの据付工事段階などのように液晶モニタなどで、乗りかごの位置を表示することができないときでも、各行先釦と各階床との関係を登録することができ、これによって各行先釦の接続先を固定して、各行先釦のケーブル接続作業を簡素化することができるとともに、誤配線の発生率を大幅に低減することができる行先釦登録システムを提供することを目的としている。
【課題を解決するための手段】
【００１１】
上記の目的を達成するために本発明は、請求項１では、操作盤に設けられた各行先釦に各階床を割り当てる行先釦登録システムにおいて、前記操作盤に設けられた前記各行先釦と前記各階床との関係が書き換え自在に登録される設定テーブルと、行先釦登録モードが指定されているとき、前記各行先釦の操作順に、これら各行先釦に予め指定された階床を割り当てて、前記設定テーブルに前記各行先釦と前記各階床との関係を登録するとともに、登録済みの前記行先釦を点灯制御するエレベータ制御装置とを備えたことを特徴としている。
【００１２】
上記の構成によれば、エレベータの据付工事段階などのように液晶モニタなどで、乗りかごの位置を表示することができないときでも、各行先釦と各階床との関係を登録し、これによって各行先釦の接続先を固定して、各行先釦のケーブル接続作業を簡素化でき、誤配線の発生率を大幅に低減できる。
【００１３】
請求項２では、請求項１に記載の行先釦登録システムにおいて、前記エレベータ制御装置は、行先釦登録モードが指定された状態で、前記行先釦が操作されたとき、この行先釦が階床割り当て済みの行先釦かどうかをチェックし、階床割り当て済みの行先釦でなければ、前記各行先釦の操作順に、これら各行先釦に予め指定された階床を割り当てて、前記設定テーブルに前記各行先釦と前記各階床との関係を登録するとともに、登録済みの前記行先釦を点灯制御し、階床割り当て済みの行先釦であれば、前記設定テーブルに登録されている、前記行先釦の階床割り当てを解除するとともに、解除済みの前記行先釦を消灯制御することを特徴としている。
【００１４】
上記の構成によれば、エレベータの据付工事段階などのように液晶モニタなどで、乗りかごの位置を表示することができないときでも、各行先釦と各階床との関係を登録し、これによって各行先釦の接続先を固定して、各行先釦のケーブル接続作業を簡素化するとともに、誤配線の発生率を大幅に低減し、さらに各行先釦と各階床との関係を登録する際、設定済みの行先釦が再度、操作されたとき、この行先釦の設定を解除して、再度、設定し、これによって各行先釦と各階床との関係を登録するときの誤設定を容易に修正できる。
【発明の効果】
【００１５】
本発明の行先釦登録システムによれば、エレベータの据付工事段階などのように液晶モニタなどで、乗りかごの位置を表示することができないときでも、各行先釦と各階床との関係を登録することができ、これによって各行先釦の接続先を固定して、各行先釦のケーブル接続作業を簡素化することができるとともに、誤配線の発生率を大幅に低減することができる。
【発明を実施するための最良の形態】
【００１６】
＜第１の実施形態＞
図１は本発明による行先釦登録システムの第１の実施形態を示すブロック図である。
【００１７】
この図に示す行先釦登録システム１は、エレベータの乗りかご内などに配置され、例えば、停止階数として最大８階床分の行先釦を登録することができる操作盤２と、操作盤２の操作内容に応じて呼びを発生する処理、呼びの登録内容に応じて操作盤２の各釦位置４ａ〜４ｈのうち、釦位置４ｅ〜４ｇに各々、配置された行先釦５〜７を点灯する処理などを行うかご制御装置８と、一端側に形成されたコネクタがかご制御装置８に設けられたコネクタに差し込まれ、他端側に形成されたコネクタが操作盤２に設けられたコネクタに差し込まれるフラットケーブル９と、ビルの機械室１０などに配置され、シリアル伝送ライン１１を介して、かご制御装置８と通信を行い、操作盤２に設けられた各行先釦５〜７と各階床との関係を取り込んで登録する処理、かご制御装置８から出力される呼びを登録して、乗りかごの運転を制御する処理、呼びの登録内容をかご制御装置８に供給する処理などを行うエレベータ制御装置１２とを備えている。
【００１８】
さらに、行先釦登録システム１は、図３、図４に示すような設定テーブル１３などが格納される書き換え可能な記憶素子、例えばＥＥＰＲＯＭなどを持ち、操作盤２に設けられたコネクタの各ピン位置とかご制御装置８に設けられたコネクタの各ピン位置とに応じて、設定テーブル１３の各行先釦欄に釦位置４ａ〜４ｈを書き込むとともに、各メモリアドレス欄にアドレス番号（ピン番号）が書き込まれ、またエレベータ制御装置１２から各行先釦５〜７と各階床数との関係を示す設定データが出力されたとき、これを取り込んで各釦位置４ａ〜４ｈに対応するメモリアドレスのデータ欄に、各釦位置４ａ〜４ｈに割り当てられた階床を書き込む設定情報記憶装置１４と、携帯型端末装置などによって構成され、行先釦登録モードへの切替指示などが入力されたとき、エレベータ制御装置１２に行先釦設定動作を行わせる保守端末装置１５とを備えている。
【００１９】
次に、図１乃至図３に基づいて、行先釦登録システム１の行先釦登録動作を説明する。
【００２０】
まず、図２のフローチャートに示すように、保守端末装置１５が操作されて、行先釦登録モードへの切替が指示されると（ステップＳ１）、エレベータ制御装置１２によって、行先釦登録処理が開始されて、設定情報記憶装置１４内の設定テーブル１３に設けられたメモリアドレスのデータ欄が全て“０”にされるとともに、エレベータの運転が中止され、最初の設定階として最下階（本例では１階）が設定される（ステップＳ２）。
【００２１】
この後、操作盤２に設けられている各行先釦５〜７のうち、最下階（１階）に対応する行先釦５が操作されて、操作盤２の釦位置４ｅから出力信号が出力され、これが操作盤２→フラットケーブル９→かご制御装置８→シリアル伝送ライン１１→エレベータ制御装置１２なる経路で供給されると（ステップＳ３）、エレベータ制御装置１２によって、図３に示すように、出力信号を出力した釦位置４ｅに対応するメモリアドレスのデータ欄に“１”が書き込まれる（ステップＳ４）。
【００２２】
次いで、エレベータ制御装置１２によって、設定情報記憶装置１４に設けられた設定テーブル１３の内容が読み出されて、釦位置４ｅに対する点灯指令が生成され、これがエレベータ制御装置１２→シリアル伝送ライン１１→かご制御装置８→フラットケーブル９→操作盤２の釦位置４ｅなる経路で供給されて、この釦位置４ｅに取り付けられている行先釦（今回、操作された行先釦）５が点灯される（ステップＳ５）。
【００２３】
この後、エレベータ制御装置１２によって、設定階として次の階（この場合、２階）が選択され、以後、上述した行先釦登録手順と同じ手順で、各行先釦６、７と階床との関係を設定する動作が繰り返される（ステップＳ３〜Ｓ７）。
【００２４】
これにより、図４に示すように、行先釦６が２階の行先釦に設定されて、この行先釦６が取り付けられた釦位置４ｆに対応するメモリアドレスのデータ欄に“２”が書き込まれた後、行先釦７が３階の行先釦に設定されて、この行先釦７が取り付けられた釦位置４ｇに対応するメモリアドレスのデータ欄に“３”が書き込まれる。
【００２５】
そして、各行先釦５〜７に対する階床の設定が終了し、保守端末装置１５が操作されて、通常の運転モードへの切替が指示されると、エレベータ制御装置１２によって、乗りかごの運転が開始されて、設定情報記憶装置１４の設定内容、操作盤２の操作内容などに応じ、乗りかごの上昇、下降、停止などが行われる（ステップＳ７）。
【００２６】
このように、第１の実施形態では、行先釦登録モードが指定されたとき、最初に操作された釦位置４ｅにある行先釦５を最下階（１階）を示す行先釦であると判断して、この釦位置４ｅに対応するメモリアドレスのデータ欄に“１”を書き込むとともに、操作された行先釦５を点灯して、登録済みであることを表示し、次に操作された釦位置４ｆにある行先釦６を２階を示す行先釦であると判断して、この釦位置４ｆに対応するメモリアドレスのデータ欄に“２”を書き込むとともに、操作された行先釦６を点灯して、登録済みであることを表示するようしているので、エレベータの据付工事段階などのように液晶モニタなどで、乗りかごの位置を表示することができないときでも、各行先釦５〜７と各階床との関係を登録することができ、これによってフラットケーブル９の一端に設けられたコネクタを操作盤２のコネクタに差し込ませるとともに、フラットケーブル９の他端に設けられたコネクタをかご制御装置８のコネクタに差し込ませるだけで、これら操作盤２と、かご制御装置８との間の結線作業を終わらせることができ、誤配線の発生率を大幅に低減することができる。
【００２７】
また、第１の実施形態では、乗りかご内に設けられる操作盤２の数を１台にしているが、操作盤２の数が２台以上である場合には、各操作盤２毎に図３に示す設定テーブル１３を設け、各操作盤２毎に、各行先釦５〜７を最下階から順番に操作するだけで、各行先釦５〜７を登録することができる。
【００２８】
この際、全ての操作盤２を最下階から順番に操作していっても、操作盤２毎に最下階から最上階までの設定を完了してから、次の操作盤２の設定を行っても良い。さらに、最初、全ての操作盤２に最下階を同時に設定し、途中から各操作盤２毎に、最上階まで完了することもできる。
【００２９】
＜第２の実施形態＞
次に、本発明による行先釦登録システムの第２の実施形態を説明する。なお、ブロック図は図１に示した第１の実施形態と同一であるため、図示は省略する。
【００３０】
第２の実施形態では、エレベータ制御装置１２が各行先釦５〜７と各階床との関係を登録する際、間違った操作が行われたとき、これを検知して修正できるようにし、各行先釦５〜７と各階床との関係を登録するときの作業を容易にするようにしたことである。
【００３１】
次に、図５に乃至図１０を参照しつつ、第２の実施形態における行先釦登録動作を説明する。
【００３２】
まず、図５のフローチャートに示すように、保守端末装置１５が操作されて、行先釦登録モードへの切替が指示されると（ステップＳ１１）、エレベータ制御装置１２によって、行先釦登録処理が開始されて、設定情報記憶装置１４内の設定テーブル１３に設けられたメモリアドレスのデータ欄が全て“０”にされるとともに、エレベータの運転が中止され、最初の設定階として最下階（この場合、１階）が設定される（ステップＳ１２）。
【００３３】
この後、操作盤２に設けられている各行先釦５〜７のうち、最下階に対応する行先釦５が操作されて、操作盤２の釦位置４ｅから出力信号が出力され、これが操作盤２→フラットケーブル９→かご制御装置８→シリアル伝送ライン１１→エレベータ制御装置１２なる経路で供給されると（ステップＳ１３）、エレベータ制御装置１２によって、出力信号を出力した釦位置４ｅが設定済みの釦位置であるかどうかがチェックされる。
【００３４】
そして、釦位置４ｅが未設定の釦位置であれば（ステップＳ１４）、エレベータ制御装置１２によって、図６に示すように、出力信号を出力した釦位置４ｅに対応するメモリアドレスのデータ欄に“１”が書き込まれるとともに（ステップＳ１５）、設定情報記憶装置１４に設けられた設定テーブル１３の内容が読み出されて、釦位置４ｅに対する点灯指令が生成され、これがエレベータ制御装置１２→シリアル伝送ライン１１→かご制御装置８→フラットケーブル８→操作盤２の釦位置４ｅなる経路で供給されて、この釦位置４ｅに取り付けられている行先釦（今回、操作された行先釦）５が点灯される（ステップＳ１６）。
【００３５】
この後、エレベータ制御装置１２によって、設定階として次の階（この場合、２階）が選択され（ステップＳ１７）、以後、上述した行先釦登録手順と同じ手順で、各行先釦６、７と階床との関係を設定する動作が繰り返される（ステップＳ１３〜Ｓ１８）。
【００３６】
これにより、図７に示すように、行先釦６が２階の行先釦に設定されて、この行先釦６が取り付けられた釦位置４ｆに対応するメモリアドレスのデータ欄に“２”が書き込まれた後、行先釦７が３階の行先釦に設定されて、この行先釦７が取り付けられた釦位置４ｇに対応するメモリアドレスのデータ欄に“３”が書き込まれる。
【００３７】
一方、出力信号を出力した釦位置が設定済みかどうかをチェックしたとき、図８に示すように、釦位置４ｅに取り付けられた行先釦５を最下階（１階）を示す行先釦にし、釦位置４ｆに取り付けられた行先釦６を２階を示す行先釦として設定した状態で、２階を示す釦位置４ｆに取り付けられた行先釦６が再度、操作され、釦位置４ｆから出力信号が出力されていれば（ステップＳ１４）、エレベータ制御装置１２によって、図９に示すように、釦位置４ｆに対応するメモリアドレスのデータ欄が“０”に戻されるとともに（ステップＳ１９）、設定情報記憶装置１４に設けられた設定テーブル１３の内容が読み出されて、釦位置４ｆに対する消灯指令が生成され、これがエレベータ制御装置１２→シリアル伝送ライン１１→かご制御装置８→フラットケーブル８→操作盤２の釦位置４ｆなる経路で供給されて、この釦位置４ｆに取り付けられている行先釦６が消灯される（ステップＳ２０）。
【００３８】
また、出力信号を出力した釦位置が設定済みかどうかをチェックしたとき、図８に示すように、釦位置４ｅに取り付けられた行先釦５を最下階を示す行先釦にし、釦位置４ｆに取り付けられた行先釦６を２階を示す行先釦として設定した状態で、１階を示す釦位置４ｅに取り付けられた行先釦５が再度、操作され、釦位置４ｅから出力信号が出力されていれば（ステップＳ１４）、エレベータ制御装置１２によって、図１０に示すように、釦位置４ｅに対応するメモリアドレスのデータ欄と、釦位置４ｆに対応するメモリアドレスのデータ欄とが“０”に戻されるとともに、設定情報記憶装置１４に設けられた設定テーブル１３の内容が読み出されて、釦位置４ｅ、４ｆに対する消灯指令が生成され、これらがエレベータ制御装置１２→シリアル伝送ライン１１→かご制御装置８→フラットケーブル９→操作盤２の釦位置４ｅ、４ｆなる経路で供給されて、釦位置４ｅに取り付けられている行先釦（今回、操作された行先釦）５と、釦位置４ｆに取り付けられている行先釦（行先釦５の上階に設定された行先釦）６とが消灯される（ステップＳ２０）。
【００３９】
次いで、エレベータ制御装置１２によって、設定階として、今回、解除された階が選択され（ステップＳ２１）、以後、上述した行先釦登録手順と同じ手順で、各行先釦５、６、７と階床との関係を設定する動作が繰り返される（ステップＳ１３〜Ｓ２１）。
【００４０】
そして、各行先釦５〜７に対する階床の設定が終了し、保守端末装置１５が操作されて、通常の運転モードへの切替が指示されると、エレベータ制御装置１２によって、乗りかごの運転が開始されて、設定情報記憶装置１４の設定内容、操作盤２の操作内容などに応じ、乗りかごの上昇、下降、停止などが行われる（ステップＳ１８）。
【００４１】
このように、第２の実施形態では、行先釦登録モードが指定され、操作された各行先釦５〜７を最下階を示す行先釦、２階を示す行先釦、３階を示す行先釦として、設定テーブル１３に登録しているとき、既に登録している行先釦、例えば行先釦５が再度、操作されたとき、この行先釦５の設定と、この行先釦５より上の階を示す行先釦６の設定とを解除して、再度、設定するようにしているので、エレベータの据付工事段階などのように液晶モニタなどで、乗りかごの位置を表示することができないときでも、各行先釦５〜７と各階床との関係を登録することができ、これによってフラットケーブル９の一端に設けられたコネクタを操作盤２のコネクタに差し込ませるとともに、フラットケーブル９の他端に設けられたコネクタをかご制御装置８のコネクタに差し込ませるだけで、これら操作盤２と、かご制御装置８との間の結線作業を終わらせることができ、誤配線の発生率を大幅に低減することができる。
【００４２】
さらに、各行先釦５〜７と各階床との関係を登録する際、設定済みの行先釦、例えば行先釦６が再度、操作されたとき、この行先釦６の設定を解除して、再度、設定することができ、これによって各行先釦５〜７と各階床との関係を登録するときの誤設定を容易に修正することができる。
【００４３】
また、第２の実施形態では、乗りかご内に設けられる操作盤２の数を１台にしているが、操作盤２の数が２台以上である場合には、各操作盤２毎に、設定テーブル１３を設け、各操作盤２毎に、各行先釦５〜７を最下階から順番に操作するだけで、各行先釦５〜７を登録することができる。
【００４４】
この際、全ての操作盤２を最下階から順番に操作していっても、操作盤２毎に最下階から最上階までの設定を完了してから、次の操作盤２の設定を行っても良い。さらに、最初、全ての操作盤２に最下階を同時に設定し、途中から各操作盤２毎に最上階まで完了することもできる。
【図面の簡単な説明】
【００４５】
【図１】本発明による行先釦登録システムの実施形態を示すブロック図である。
【図２】第１の実施形態における行先釦登録システムの行先釦登録動作例を示すフローチャートである。
【図３】図１に示す設定情報記憶装置内に格納される設定テーブルの一例を示す説明図である。
【図４】図１に示す行先釦登録システムの行先釦登録動作で、行先釦が登録された設定テーブルの一例を示す説明図である。
【図５】第２の実施形態における行先釦登録システムの行先釦登録動作例を示すフローチャートである。
【図６】第２の実施形態における行先釦登録システムの行先釦登録動作で、行先釦が登録された設定テーブルの一例を示す説明図である。
【図７】第２の実施形態における行先釦登録システムの行先釦登録動作で、行先釦が登録された設定テーブルの一例を示す説明図である。
【図８】第２の実施形態における行先釦登録システムの行先釦登録解除動作で、行先釦が解除された設定テーブルの一例を示す説明図である。
【図９】第２の実施形態における行先釦登録システムの行先釦登録解除動作で、行先釦が解除された設定テーブルの一例を示す説明図である。
【図１０】第２の実施形態における行先釦登録システムの行先釦登録解除動作で、行先釦が解除された設定テーブルの一例を示す説明図である。
【図１１】従来から知られている行先釦登録システムで使用される操作盤の一例を示すブロック図である。
【図１２】従来から知られている行先釦登録システムで使用される操作盤の一例を示すブロック図である。
【符号の説明】
【００４６】
１：行先釦登録システム
２：操作盤
４ａ〜４ｈ：釦位置
５、６、７：行先釦
８：かご制御装置
９：フラットケーブル
１０：機械室
１１：シリアル伝送ライン
１２：エレベータ制御装置
１３：設定テーブル
１４：設定情報記憶装置
１５：保守端末装置
【図１】
2005112541.tif 000003
【図２】
2005112541.tif 000004
【図３】
2005112541.tif 000005
【図４】
2005112541.tif 000006
【図５】
2005112541.tif 000007
【図６】
2005112541.tif 000008
【図７】
2005112541.tif 000009
【図８】
2005112541.tif 000010
【図９】
2005112541.tif 000011
【図１０】
2005112541.tif 000012
【図１１】
2005112541.tif 000013
【図１２】
2005112541.tif 000014